(57)【要約】      （修正有）【課題】開けると平坦に折り畳まれていたポップアップモデルが起こされて中空立体構造の３Ｄモデルになるポップアップモデル付き台紙を提供する。【解決手段】ポップアップモデル付き台紙は、神様をイメージしたポップアップモデル１と、中折れ部３１ａを中心にして開閉する台紙の一形態である御朱印帳３０とを有する。ポップアップモデル１は、御朱印帳３０が閉じられているときには平坦に折り畳まれており、御朱印帳３０を開くと左右の頁面３１Ｌ、３１Ｒに引かれ、左右の頁面３１Ｌ、３１Ｒの間にある中折れ部３１ａに跨がって起立しながら両側面どうしの間隔が開いて中空立体構造を有する３Ｄモデルになる。【選択図】図１
0003235407.tif 000002
【実用新案登録請求の範囲】
【請求項１】
紙製のポップアップモデルと、中折れ部を中心にして開閉する台紙とを有し、
前記ポップアップモデルは、左右を二分する縦線上に設けられた折曲部を中心にした左右位置に左側板部と右側板部とが対向して設けられており、
前記左側板部の下端部に突出して設けられた左側舌片が、前記台紙の左側紙面における前記中折れ部近傍箇所に固定され、
前記右側板部の下端部に突出して設けられた右側舌片が、前記台紙の右側紙面における前記中折れ部近傍箇所に固定されて、
前記台紙を大きく開けると、平坦に折り畳まれていた前記ポップアップモデルは、起立しながら前記左側板部と前記右側板部との間の間隔が横方向に開いて、中空立体構造の３Ｄモデルになるように構成されている、ポップアップモデル付き台紙。
【請求項２】
紙製のポップアップモデルと、表表紙と裏表紙の間に中折れ部を中心にして開閉して左右に頁紙面を有する台紙とを有し、
前記ポップアップモデルは、前記左右の頁面の内側が切り欠かれて前記頁面を開いたときに切り欠かれた内側の紙面が引き起こされて中空立体構造の３Ｄモデルになるように、前記左右の頁の前記内側の紙面の頂部どうしが貼り付けられており、前記３Ｄモデルの前部と後部に形成される開口は、折り畳んだときに内側に折曲して重なる前部紙面と後部紙面で閉じられている、ポップアップモデル付き台紙。
【請求項３】
前記ポップアップモデルは、神社信仰の対象である神様をイメージしたモデル、又は神社の建物である、請求項１又は２に記載のポップアップモデル付き台紙。
【請求項４】
前記台紙は、御朱印帳、紙製の置物、土産物カード、グリーティングカード、カレンダー、本の紙面のいずれかである、請求項１乃至３の何れかの項に記載のポップアップモデル付き台紙。
【考案の詳細な説明】
【技術分野】
【０００１】  本願考案は、中折れの台紙を開けると、紙製のポップアップモデルが平坦に折り畳まれた状態から中空立体構造の３Ｄモデルに引き起こされるポップアップモデル付き台紙に関し、この台紙は、御朱印帳、置物、土産物カード、グリーティングカード、カレンダー、本の内側紙面等が該当する。
【背景技術】
【０００２】  神社において購入できる御朱印帳は、表紙と裏表紙との間に、頁面が連続した一枚の白紙の用紙が外向きと内向きに交互に折り折り返され重ねられた状態で設けられている。このため、表紙や各頁を開けると、縦中央に折曲線があり、該折曲線の両側に頁面（左頁と右頁）が位置する。
従来の御朱印帳の頁面は、御朱印をスタンプするための白紙の紙面だけであり、何らの造作もされていない。
考案者は、御朱印帳を開けたときに、神様をイメージしたポップップ３Ｄモデルが現れると、多くの人々は、驚きとともに、幸運が訪れる、厄除けになる、祈願が成就されるなどと考えるであろうことに気付いた。【０００３】  従来から中折れの台紙にポップアップする紙製のモデルが組み付けられたポップアップグリーティングカードがあることは知られている。
しかしながら、御朱印帳とポップアップ式モデルとを組み合わせたものは全く無く、公知文献にも見当らない。【０００４】  また、従来のポップアップグリーティングカードや本に設けられているポップアップモデルは、カードや本を大きく開いたときに引き起こされて中空立体構造になる３Ｄモデルではない。
【考案の概要】
【考案が解決しようとする課題】  本願考案は、中折れの台紙を大きく開けると、ポップアップモデルが平坦に折り畳まれた状態から引き起こされて中空立体構造の３Ｄモデルになるポップアップモデル付き台紙にすること、とくに、この台紙を、御朱印帳、紙製の置物、土産物カード、グリーティングカード、カレンダー、本の紙面等とし、台紙を開けたときに人々の心を引き付けるポップアップモデル付き台紙にすることを解決課題とする。
【課題を解決するための手段】
【０００５】  第１の態様のポップアップモデル付き台紙は、次の構成を備える。・
紙製のポップアップモデルと、中折れ部を中心にして開閉する台紙とを有する。
前記ポップアップモデルは、左右を二分する縦線上に設けられた折曲部を中心にした左右位置に左側板部と右側板部とが対向して設けられている。
前記左側板部の下端部に突出して設けられた左側舌片が、前記台紙の左側紙面における前記中折れ部近傍箇所に固定されている。
前記右側板部の下端部に突出して設けられた右側舌片が、前記台紙の右側紙面における前記中折れ部近傍箇所に固定されている。
前記台紙を大きく開けると、平坦に折り畳まれていた前記ポップアップモデルは、起立しながら前記左側板部と前記右側板部との間の間隔が横方向に開いて、中空立体構造の３Ｄモデルになるように構成されている。【０００６】  第２の態様のポップアップモデル付き台紙は、次の構成を備える。
紙製のポップアップモデルと、表表紙と裏表紙の間に中折れ部を中心にして開閉して左右に頁面を有する台紙とを有する。
前記ポップアップモデルは、前記左右の頁面の内側が切り欠かれて前記頁面を開いたときに切り欠かれた内側の紙面が引き起こされて中空立体構造の３Ｄモデルになるように、前記左右の頁の前記内側の紙面の頂部どうしが貼り付けられている。
前記３Ｄモデルの前部と後部に形成される開口は、折り畳んだときに内側に折曲して重なる前部紙面と後部紙面で閉じられている。【０００７】  第３の態様のポップアップモデル付き台紙は、次の構成を備える。
前記第１又は第２の態様が有する構成と同じ構成を備える。
第３の態様における前記ポップアップモデルは、神社信仰の対象である神様をイメージしたモデル、又は神社のモデルである。【０００８】  第４の態様のポップアップモデル付き台紙は、次の構成を備える。
前記第１乃至第３の態様が有する構成と同じ構成を備える。
第３の態様においては、前記台紙は、御朱印帳、紙製の置物、土産物カード、グリーティングカード、カレンダー、本の紙面のいずれかである。
【考案の効果】
【０００９】  本願考案に係るポップアップモデル付き台紙によれば、台紙を大きく開けると、平坦に折り畳まれていた紙製のモデルが引き起こされて、見栄えの良い中空立体構造のポップアップ３Ｄモデルになる。
また、前記モデルを神社信仰の対象である神様をイメージしたモデル、又は神社の建物のモデルとし、前記台紙を御朱印帳の内側の頁面とすると、今までの御朱印帳よりも一層、驚きと人々の信仰心を寄せる御朱印帳にすることが出来るであろう。
【考案を実施するための形態】
【００１０】    本願考案に係るポップアップモデル付き台紙の具体的な詳細を以下の図面に沿って詳述する。
【図面の簡単な説明】
【００１１】
【図１】本願考案の実施形態１であり、神様をイメージしたポップアップ３Ｄモデルと台紙になる御朱印帳とを組み合わせて示した、ポップアップモデル付き台紙の斜視図。
【図２】同じく、ポップアップ３Ｄモデルを御朱印帳に取り付ける直前の状態で示した斜視図。
【図３】（ａ）は台紙を開いてポップアップ３Ｄモデルにした状態を示した正面図、（ｂ）は図３（ａ）図の下部中央拡大図。
【図４】（ａ）は３Ｄモデル化したポップアップモデルの下部になる衣装の平面断面図、（ｂ）は同じく平坦に折り畳んだ状態で示した平面断面図。
【図５】ポップアップモデルを平坦に折り畳み、右舌片を台紙に固定する前の開放した状態で示したポップアップモデル付き御朱印帳を示した平面図。
【図６】本願考案の実施形態２であり、（ａ）は神社をモデルにしたポップアップ３Ｄモデルと台紙である御朱印帳とを組み合わせて示した、ポップアップモデル付き台紙の斜視図、（ｂ）はポップアップモデルを分解して示している。
【実施例】
【００１２】−概要−
本願考案によるポップアップモデル付き台紙は、ポップアップモデルと、台紙とが組み合わされて構成されている。【００１３】〔実施形態１〕
図１及び図２に示す実施形態１のポップアップモデル付き台紙は、神社信仰の対象である神様をイメージしたポップアップモデル１と、台紙の一形態である御朱印帳３０とが組み合わされて構成されている。【００１４】〔ポップアップモデル１〕−
図１、図２、図３（ａ）に示すポップアップモデル１は、引き起こすと中空立体構造の３Ｄモデルになる。
図示するポップアップモデル１は、神社信仰の対象である神様をイメージしたモデルである。
ポップアップモデル１は、左右を二分する縦長の折曲部２ａを有し、折曲部２ａを中心にした左右対称形状を有する。【００１５】  このポップアップモデル１は、複数枚の紙片が貼り合わされて構成され、互いに重なる方向折り畳むことができる。
具体的には、ポップアップモデル１は、頭４、顔５、鼻６、あご７、衣装１０、左右の袖１１Ｌ，１１Ｒ、角（つの）１２等を形づくる各紙片が、対抗する端部面どうしの貼り付けにより、折り畳みと、引き起こしによる中空構造の３Ｄモデルが自在になるように組み立てられている。各紙片の貼り付けは、糊付けにより行なわれている。【００１６】〔ポップアップモデル１の各部の詳細〕
頭４を構成する紙片は、上部が縦方向に長い折曲部２ａを頂部とする左右対称形状の三角形状を有し、高さ途中部から下方部分が、ポップアップモデルが３Ｄモデル化したときに垂直面になるように構成されている。【００１７】  左側の側板部は、ポップアップモデルの左側板部２Ｌの一部を構成し、右側の側板部は、ポップアップモデルの右側板部２Ｒの一部を構成する。
頭４になる紙片は、平面断面形状が縦長の六角形状であり、左右の側面どうしが重なる方向に折り畳むことができる。【００１８】  顔５とあご７を構成する各紙片にも左右を二分する縦中央線上に沿った折曲部２ａ，が設けられて、この折曲部２ａを中心にした折り畳みが行えるように構成されている。
頭４とあご７を構成する各紙片は、周縁面部が頭４になる紙片の前端内側周縁面に貼り付けられて、頭４になる紙片の前部になる開放された部分を覆っている。
頭４を構成する紙片と、頭４とあご７を構成する各紙片とが組み付けられて、下部を開放させた六角形状の箱形を形成している。【００１９】  衣装１０を構成する紙片は、頭４を構成する紙片の下方に位置している。
図４（ａ）に示すように、衣装１０を構成する紙片は、頭４と同様に平面断面形状が縦長の六角形状を有し、図４（ｂ）に示すように左右の面が重なる方向に平坦に折り畳むことができるように、縦長の折曲部２ａ，２ａが角部に設けられている。
このため、ポップアップモデル１は、中空立体構造を有する３Ｄモデルにすることができ、また、折曲部２ａを中心に略平坦に折り畳むことができる。【００２０】  図２に示すように、ポップアップモデル１の左右の側面の下端部には、舌片（左舌片３Ｌ，３Ｒ）が延出して設けられている。左右の側面は、衣装１０を構成する紙片の側面である。舌片（左舌片３Ｌ，右舌片３Ｒ）はポップアップモデル１を台紙である御朱印帳３０に貼り付ける部分になる。【００２１】〔御朱印帳３０〕
図２に示すように、台紙の一形態である御朱印帳３０は、見開きしたときの所定の左右に位置する頁面（左頁面３１Ｌ，右頁面３１Ｒ）の中央に縦方向の中折れ部３１ａが位置している
本願考案でいうところの台紙は、御朱印帳３０の場合には、この頁面（左頁面３１Ｌ，右頁面３１Ｒ）になる。
左頁面３１Ｌの中折れ部３１ａ中央の近傍箇所と、右頁面３１ＺＲの中折れ部３１ａ中央の近傍箇所には、舌片（左舌片３Ｌ，右舌片３Ｒ）の前後幅よりも若干長いスリット（左側スリット３２Ｌ，右側スリット３２Ｒ）が、それぞれ設けられている。【００２２】  図１、図２、図３（ａ）を参照しつつ図３（ｂ）に示すように、舌片（左舌片３Ｌ，右舌片３Ｒ）を、対応するスリット（左側スリット３２Ｌ，右側スリット３２Ｒ）内に突入させ、互いに離反する横方向に折り曲げ、スリット（左側スリット３２Ｌ，右側スリット３２Ｒ）を形成している頁面の裏面に糊付けによる接着をして、御朱印帳３０の内側面に取り付けてある。【００２３】  図５は、ポップアップモデルを平坦に折り畳み、右舌片を対応する頁面に固定する前の開放した状態で示している。【００２４】  以上において説明したポップアップモデル１は好適とされる一例であり、本願考案の権利範囲はこの形状のポップアップモデル１に限定されない。例えば、七福神全員若しくは七福神のお一人であってもよい。また、神社のモデルであってもよい。【００２５】  御朱印帳３０を閉じると、図２、図３（ｂ）に示すスリット（左側スリット３２Ｌ，右側スリット３２Ｒ）の位置が上下に対向する方向に移動して舌片（左舌片３Ｌ，右舌片３Ｒ）を近接する上下対向方向（に引寄せる。このため、３Ｄ化していたポップアップモデル１は、図５に示す側面（左側板部２Ｌと右側板部２Ｒ）が重なる方向に、略平坦に折り畳まれる。【００２６】  御朱印帳３０を開くと、スリット（左側スリット３２Ｌ，右側スリット３２Ｒ）の一方が横方向に移動して、左側スリット３２Ｌと右側スリット３２Ｒどうしの間隔が広がる。このため、折り畳まれていたポップアップ１は、図１に示すように横方向に広がって起立（ポップアップ）する。【００２７】  以上において説明したポップアップモデル１が取り付けられる頁面（左頁面３１Ｌ，右頁面３１Ｒ）は、御朱印帳３０の隣り合う頁面のうちの所定の左右の頁面である。
図示していないが、御朱印帳の内側に位置する所定の左右の頁面に上記スリットがある化粧紙を貼り行けてもよい。【００２８】  御朱印帳３０の内側にポップアップモデル１を取り付けると、御朱印帳３０を閉じたときにポップアップモデル１も平坦に折り畳まれるが、折り畳まれたポップアップ１の厚さがあるため、御朱印帳３０の途中の頁面を浮き上がらせる。【００２９】  〔実施形態２〕
図６（ａ）に示す実施形態２のポップアップモデル付き台紙は、神社をモデルにしたポップアップモデル２０と、台紙の一形態である御朱印帳３０とが組み合わされて構成されている。【００３０】  図６（ａ）、（ｂ）に示すように、このポップアップモデル２０は、御朱印帳３０内側にある所定の左右の頁面（左頁面３１Ｌと右頁面３１Ｒ）の内側に、神社の形状になるポップアップモデル２０の片側の外形が切り欠かれている、【００３１】  ポップアップモデル２０は、左右の頁面（左頁面３１Ｌと右頁面３１Ｒ）の間に位置する中折れ部３１ａを中心にした左右対称形状である。
左側の切欠き部３３Ｌの内側の紙面３４Ｌは、神社の左側の屋根になる紙面３４ａと壁面になる紙面３４ｂであり、右側の切欠き部３３Ｒの内側の紙面３４Ｒは、神社の右側の屋根３３ａになる紙面と壁面３３ｂになる紙面である。【００３２】  左側の屋根になる紙面３４ａの頂部と右側の屋根になる紙面３３ａの頂部とは糊付けによる接着がされている。３４ｄは貼着用の糊代になる部分である。
左側の屋根になる紙面３４ａと壁面になる紙面３４ｂとを仕切る線上と、壁面になる紙面３４ｂの下端部には、折曲部３４ｃ，３４ｃが前後方向に向けて設けられている。
同様に、右側の屋根になる紙面３３ａと壁面になる紙面３３ｂとを仕切る線上と、壁面になる紙面３３ｂの下端部には、折曲部３３ｃ，３３ｃが前後方向に向けて設けられている。【００３３】このため、左頁面３１Ｌと右頁面３１Ｒを開けると、切欠かれた左右の内側の紙面（３４ａ，３４ｂ、３３ａ，３３ｂ）が引き起こされて、図７（ａ）に示す神社の屋根と壁面の形状になる。【００３４】  また、左側の壁面になる紙面３４ｂの前端部と、右側の壁面になる紙面３３ｂの前端部には、神社の前面を構成する略三角形状の前部紙面３６の対応する側端部が貼り付けられている。３６ｂ、３６ｂは貼着用の糊代になる部分である。前部紙面３６の縦中央には神社の内側に向けて折れる折曲部３６ｃが設けられている。【００３５】  このため、左右の内側の紙面（３４ａ，３４ｂ、３３ａ，３３ｂ）が引き起こされたときに、神社の前部が部紙面３６で覆われた状態になる。【００３６】  部紙面３６と同様に、側の壁面になる紙面３４ｂの後端部と、右側の壁面になる紙面３３ｂの後端部にも、神社の背面を構成する略三角形状の後部紙面３５の対応する側端部が貼り付けられている。３５ｂ、３５ｂは貼着用の糊代になる部分である。後部紙面３５の縦中央には神社の内側に向けて折れる折曲部３６ｃが設けられている。【００３７】  このため、左右の内側の紙面（３４ａ，３４ｂ、３３ａ，３３ｂ）が引き起こされたときに、神社の背面後部紙面３５で覆われた状態になる。【００３８】  図示していないが、神社に合わせた模様と着色が各紙面に施されている。【００３９】  図示していないが、前記台紙は、紙製の置物、土産物カード、グリーティングカード、カレンダー、本の紙面等であってもよい。
紙製の置物と土産物カードとグリーティングカードは、いずれも中折れの厚口台紙が用いられており、構造と使用目的は共通する部分が多い。
カレンダーの場合には、月々の頁面が上下方向に開く壁掛けタイプのものが該当する。
本の紙面は、本の内側の特定の左右の頁面が該当し、複数の左右の頁面にポップアップモデルを設けてもよい。
【産業上の利用分野】
【００４０】    本願考案に係るポップアップモデル付き台紙は、神社で購入できる御朱印帳の分野等で利用される。
【符号の説明】
【００４１】  １・・・（実施形態１による神様をイメージした）ポップアップモデル
２ａ・・折曲部
２Ｌ・・左側板部
２Ｒ・・右側板部
３Ｌ・・左舌片
３Ｒ・・右舌片
２０・・・（実施形態２による神社の建物をモデルにした）ポップアップモデル
３０・・・御朱印帳
３２ｓ・・中折れ部
３１Ｌ・・左頁面
３１Ｒ・・右頁面
３２Ｌ・・左側スリット
３２Ｒ・・右側スリット
【図１】
0003235407.tif 000003
【図２】
0003235407.tif 000004
【図３】
0003235407.tif 000005
【図４】
0003235407.tif 000006
【図５】
0003235407.tif 000007
【図６】
0003235407.tif 000008